(57)【要約】  本発明は、第一の周波数を有するキャリア信号（ＴＳ）を発生するように設計された第一信号発生器（２）と、第二の周波数を有する情報信号（ＩＳ）を発生するように設計された第二信号発生器（３）と、前記キャリア信号（ＴＳ）によって前記情報信号（ＩＳ）を変調し、これを、変調情報信号（ｍｏｄ（ＴＳ，ＩＳ））として提供するように設計されたシングルサイドバンド変調器（４）と、前記発生キャリア信号（ＴＳ）と前記変調情報信号（ｍｏｄ（ＩＳ，ＴＳ））を発するように設計された送信装置（５）と、を備える電子システム（２１）を起動するための送信機を提供する。また、本発明は、受信機、航空機、宇宙船及び方法を提供する。【選択図】図１
2014534675.tif 000002
【特許請求の範囲】
【請求項１】
第一の周波数を有するキャリア信号（ＴＳ）を発生するように設計された第一信号発生器（２）と、
第二の周波数を有する情報信号（ＩＳ）を発生するように設計された第二信号発生器（３）と、
前記キャリア信号（ＴＳ）によって前記情報信号（ＩＳ）を変調し、これを、変調情報信号（ｍｏｄ（ＴＳ，ＩＳ））として提供するように設計されたシングルサイドバンド変調器（４）と、
前記発生キャリア信号（ＴＳ）と前記変調情報信号（ｍｏｄ（ＩＳ，ＴＳ））を放出するように設計された送信装置（５）と、を備える電子システム（２１）を起動するための送信機。
【請求項２】
前記第二信号発生器（３）は、少なくとも、アドレスコード、及び／又はチャンネル番号、及び／又はタイムスロット番号、及び／又はアクセスコードに応じた前記情報信号（ＩＳ）を発生するように設計されたことを特徴とする、請求項１に記載の送信機。
【請求項３】
前記第二信号発生器（３）は、周波数変調、及び／又は振幅変調、及び／又はアナログ変調方式、及び／又はデジタル変調方式によって前記情報信号（ＩＳ）を発生するように設計されたことを特徴とする請求項１又は２に記載の送信機。
【請求項４】
受信した無線信号（ＦＳ）をそれ自身と混合して、混合無線信号（ｇｅｍ（ＦＳ））を放出するように設計された混合装置（１１）と、
前記放出された混合無線信号（ｇｅｍ（ＦＳ））を復調して、復調無線信号（ｄｅｍｏｄ（ＦＳ））を放出するように設計された復調器（１２）と、
前記復調無線信号（ｄｅｍｏｄ（ＦＳ））を所定のアドレスコードと比較して、前記復調無線信号（ｄｅｍｏｄ（ＦＳ））が前記所定のアドレスコードを表示する場合に、ウェイクアップ信号を放出するように設計されたアドレスデコーダー（１３）と、を備える電子システム（２１）のための受信機。
【請求項５】
前記混合装置（１１）は、非線形電子部品、及び／又はダイオード、特に、ショットキーダイオード、及び／又は一つの入力を有する電界効果トランジスタ、及び／又は二つの入力を有する電界効果トランジスタを備えることを特徴とする請求項４に記載の受信機。
【請求項６】
前記無線信号（ＦＳ）を受信するためのアンテナ（１４）が設けられ、この無線信号は、第一の周波数を有するキャリア信号（ＴＳ）及びシングルサイドバンド変調を用いて前記キャリア信号（ＴＳ）によって変調された第二の周波数を有する情報信号（ｍｏｄ（ＩＳ，ＴＳ））を備え、第一フィルター（１５）は、前記混合装置（１１）の前で前記アンテナ（１４）と直列に接続され、このフィルターは、前記受信したフィルター処理済みの無線信号（ＦＳ）が、少なくとも前記キャリア信号（ＴＳ）及び前記シングルサイドバンド変調情報信号（ｍｏｄ（ＩＳ，ＴＳ））を備えるような方法で、前記受信した情報信号（ＦＳ）をフィルター処理することを特徴とする請求項４又は５に記載の受信機。
【請求項７】
第二フィルター（１６）が、前記混合装置（１１）と前記復調器（１２）の間に設けられ、このフィルターは、フィルター処理済みの無線信号（ＦＳ）が、少なくとも前記第二の周波数を有する前記情報信号（ＩＳ）を備えるような方法で、前記混合無線信号（ｇｅｍ（ＦＳ））をフィルター処理するように設計されたことを特徴とする請求項４〜６の何れか一項に記載の受信機。
【請求項８】
第一増幅器（１７）が、前記混合装置（１１）と前記復調器（１２）の間に更に設けられ、この増幅器は、前記混合無線信号（ｇｅｍ（ＦＳ））を増幅するように設計されたことを特徴とする請求項４〜７の何れか一項に記載の受信機。
【請求項９】
第二増幅器（１８）が、前記復調器（１２）と前記アドレスデコーダー（１３）の間に設けられ、この増幅器は、前記復調無線信号（ｄｅｍｏｄ（ＦＳ）が、前記アドレスデコーダー（１３）によって評価され得るような方法で、前記復調無線信号（ｄｅｍｏｄ（ＦＳ））を増幅するように設計されたことを特徴とする請求項４〜８の何れか一項に記載の受信機。
【請求項１０】
請求項１〜３の何れか一項に記載の送信機（１）を少なくとも一つ、請求項４〜９の何れか一項に記載の受信機（１０）を備える電子システム（２１）を少なくとも一つ備える航空機又は宇宙船。
【請求項１１】
特に、航空機又は航空宇宙産業における、電子システム（２１）を起動するための方法であって、
請求項１〜３の何れか一項に記載の送信機（１）を備える工程（Ｓ１）と、
請求項４〜９の何れか一項に記載の受信機（２）を備える工程（Ｓ２）と、
キャリア信号（ＴＳ）及びシングルサイドバンド変調情報信号（ｍｏｄ（ＩＳ，ＴＳ））を放出する工程（Ｓ３）と、
前記放出されたキャリア信号（ＴＳ）及び前記変調情報信号（ｍｏｄ（ＩＳ，ＴＳ））を含む無線信号（ＦＳ）を受け入れる工程（Ｓ４）と、
前記受信した無線信号（ＦＳ）をそれ自身と混合する工程（Ｓ５）と、
自身と混合された前記無線信号（ＦＳ）を復調する工程（Ｓ６）と、
前記復調無線信号（ＦＳ）を所定のアドレスコードと比較し（Ｓ７）、前記復調無線信号（ＦＳ）が前記所定のアドレスコードを表示する場合に、ウェイクアップ信号を放出する工程とを有する方法。
【請求項１２】
前記無線信号（ＦＳ）は、第一の周波数を有するキャリア信号（ＴＳ）及びシングルサイドバンド変調を用いて前記キャリア信号（ＴＳ）によって変調された第二の周波数を有する情報信号（ｍｏｄ（ＩＳ，ＴＳ））を備え、前記受信した情報信号（ＦＳ）は、受け入れの工程（Ｓ４）の後に、前記受信したフィルター処理済みの無線信号（ＦＳ）が、少なくとも前記キャリア信号（ＴＳ）及び前記シングルサイドバンド変調情報信号（ｍｏｄ（ＩＳ，ＴＳ））を備えるような方法でフィルター処理される、請求項１１に記載の方法。
【請求項１３】
前記受信した無線信号（ＦＳ）がそれ自身と混合された（Ｓ５）後に、前記混合無線信号（ｇｅｍ（ＦＳ））が、前記フィルター処理済みの無線信号（ＦＳ）が少なくとも前記第二の周波数を有する前記情報信号（ＩＳ）を備えるような方法でフィルター処理される、請求項１１又は１２に記載の方法。
【請求項１４】
前記混合無線信号（ｇｅｍＦＳ））が増幅される、請求項１１〜１３の何れか一項に記載の方法。
【請求項１５】
それ自身と混合された前記無線信号（ｇｅｍ（ＦＳ））の復調（Ｓ６）の後に、前記復調無線信号（ｄｅｍｏｄ（ＦＳ））が、前記アドレスデコーダー（１３）によって評価され得るような方法で増幅される、請求項１１〜１４の何れか一項に記載の方法。
【発明の詳細な説明】
【技術分野】
【０００１】
本発明は、ウェイクアップ電子システムのための送信機、電子システムのための受信機、ウェイクアップ電子システムのための航空機、宇宙船及び方法に関する。
【０００２】
それは、いかなる電子システムにおいても使用され得るが、本発明及び根本的な問題は、航空機と宇宙船における電子システムに関して詳細に説明される。
【背景技術】
【０００３】
航空機の電子システムを開発する際、開発技術者の最も重要な開発目標の一つは、電子システムによるエネルギー消費を最小限にすることである。これは、特に、自立電源を備える電気システムと、作動のために必要な動力を電源から、又は環境発電によって得る電気システムにおいて、最優先の目標である。
【０００４】
この種の自立電力での作動は、例えば、ワイヤレスセンサーネットワークに配置される無線センサーにとって有利である。
【０００５】
そのような電子システムにおけるエネルギー必要量を削減するため、例えば、これら電子システムは、周期的に作動させてもよい。このプロセスにおいては、電子システムの作動が必要でない場合に電気的エネルギーを節約するために、そして、必要に応じて電子システムを作動させるために、電子システムは、周期的に作動され、または停止される。
【０００６】
この種の周期的な作動モードで電子システムの作動を可能とするために、該電子システムは、該電子システムの作動が必要となるときに指示される必要がある。例えば、電子システムは、タイマーによって作動され、または停止され得る。
【０００７】
電子システムが、タイマーによって作動され、または停止される状況では、起こり得るいかなる例外的な状況と、電子システムの作動が必要となるいかなる例外的な状況にも応答することは、常に可能とは限らない。
【０００８】
そのような例外的な状況においても電子システムの作動を可能にするためには、例えば、電子システムは、無線信号、具体的には、例えば、無線ウェイクアップ信号によって起動され得る。無線信号によってそれらを起動することを許容するために、電子システムは、無線信号を検出し、そして電子システム全体を起動する受信機を代わりに要求する。
【０００９】
フラウンホーファー集積回路研究所（ＩＩＳ）のｔｃｍ１８２ウェイクアップ受信機は、適切な無線受信機の例であり、これは、約１０μｍの電力を必要とし、周波数８６８ＭＨｚで、−６０ｄＢｍの感度を有している。
【００１０】
ｔｃｍ１８２ウェイクアップ受信機は、タイプＣＲ２０３２のボタンセル電池を使用して、約２年間作動することができる。
【先行技術文献】
【特許文献】
【００１１】
【特許文献１】ウェイクアップ受信機は、例としてＷＯ２００９／０７８６００にも開示されている。
【発明の概要】
【発明が解決しようとする課題】
【００１２】
本発明の目的の一つは、電子システムにおけるエネルギー必要量を更に減らし、多くの電子システムに対して一つのウェイクアップ信号で対処することを可能とすることである。
【課題を解決するための手段】
【００１３】
この目的は、請求項１の特徴を有する送信機、請求項４の特徴を有する受信機、請求項１０の特徴を有する航空機及び宇宙船、並びに請求項１１の特徴を有する方法による発明によって達成される。
【００１４】
これに応じて、以下のものが提案されている。
【００１５】
電子システムを起動するための送信機は、第一の周波数を有するキャリア信号を発生するように設計された第一信号発生器と、第二の周波数を有する情報信号を発生するように設計された第二信号発生器と、前記キャリア信号によって前記情報信号を変調するように設計されたシングルサイドバンド変調器と、前記発生キャリア信号と前記変調情報信号を送信するように設計された送信装置とを備える。
【００１６】
電子システムのための受信機は、受信した無線信号をそれ自身と混合して混合無線信号を放出するように設計された混合装置と、前記放出混合無線信号を復調して復調無線信号を放出するように設計された復調器と、前記復調無線信号を所定のアドレスコードと比較し、前記復調無線信号が前記所定のアドレスコードを表示する場合に、ウェイクアップ信号を放出するように設計されたアドレスデコーダーとを備える。
【００１７】
航空機又は宇宙船は、本発明に係る送信機を少なくとも一つ、本発明に係る受信機を備えた電子システムを少なくとも一つ備える。
【００１８】
特に、航空機又は航空宇宙産業における、電子システムを起動するための方法は、本発明に係る送信機を備える工程と、本発明に係る受信機を備える工程と、キャリア信号及びシングルサイドバンド変調情報信号を放出する工程と、前記放出キャリア信号及び前記変調情報信号を含む無線信号を受け入れる工程と、前記受信した無線信号とそれ自身を混合する工程と、自身と混合された前記無線信号を復調する工程と、所定のアドレスコードと前記復調無線信号を比較し、前記復調無線信号が前記所定のアドレスコードを表示する場合に、ウェイクアップ信号を放出する工程とを備える。
【００１９】
本発明には、通常の方法で変調された無線信号の受信機内での評価は、複雑な電子評価システムを必要とする、という根本的な事実がある。そのような電子評価システムは、受信機によって必要とされるエネルギーを増加させる。
【００２０】
本発明の根本的な概念は、この事実を考慮すること、及び無線信号が、そのような複雑な電子システムの使用を必要とせずに評価され、電子システムを起動することができる機会を提供することを包含する。
【００２１】
この目的を達成するために、第一の周波数を有するキャリア信号、及びキャリア信号によって変調された第二の周波数を有する情報信号の両方を備える無線信号が放出される。特に、キャリア信号による情報信号のシングルサイドバンド変調が、提案される。そのような情報信号は、前記情報信号及び前記キャリア信号の両方を備えた前記受信無線信号の単純な混合によって、受信機内でそれ自身が再構成される。
【００２２】
情報信号が、シングルサイドバンド変調でキャリア信号によって変調されると、情報信号は、第一の周波数と第二の周波数の和の周波数範囲内の周波数に変更され、これは、従来の周波数混合における上側波帯に対応している。シングルサイドバンド変調の特性に起因して、周波数混合によって生じる側波帯のうち一つのみが放出され、第一の周波数から第二の周波数を除したものに等しい下側波帯は生成されない。前記受信無線信号が、続いてそれ自身と混合される場合には、前記情報信号は、直接第二の周波数に戻って変更され、そしてさらに処理される。
【００２３】
上記のように、キャリア信号及び情報信号が電子システムを起動するために放出された場合、前記放出信号の帯域幅は、実質的に、情報信号の帯域幅によって決定される。アドレスコードが情報信号によって送信された場合、例えば、起動されるべき電子システムを認識するために、情報信号は、対処すべき電子システムの数に調整され得る。特に、情報信号は、５００Ｈｚから１０ｋＨｚの帯域幅で供給され、また特に、１ｋＨｚから５ｋＨｚ、１ｋＨｚから２ｋＨｚの帯域幅でも供給されることができる。
【００２４】
さらに、第一の周波数及び第二の周波数は、それぞれの利用に適すると思われる、実質上いかなる範囲からも選択され得る。特に、第一の周波数は、１ＧＨｚと１０ＧＨｚの間、３ＧＨｚと７ＧＨｚと４．３ＧＨｚの間であってもよい。第二の周波数は、１ＭＨｚと１ＧＨｚの間、特に、第一の周波数の観点から見れば、１０ＭＨｚと２００ＭＨｚの間であってもよい。第一の周波数及び第二の周波数を、他の数値とすることも可能である。
【００２５】
電子システムは、本発明に従うことによって、慎重に、そして極めて確実に起動され得る。本発明において過誤による電子システムの起動を引き起こすために、干渉信号は、第一の周波数及び第二の周波数周辺の非常に狭い周波数領域で、受信機によって受信されなければならない。さらに、第二の周波数に対する前記干渉信号は、前記干渉信号を受信した電子システムのアドレスコードを表示しなければならない。従って、本発明は、電子システムが過誤によって起動されるということは到底起こりえないという利点を提供する。
【００２６】
本発明の有利な実施形態及び改良が、従属請求項において説明されている。
【００２７】
好ましい発展によれば、前記第二信号発生器は、少なくとも、アドレスコード、及び／又はチャンネル番号、及び／又はタイムスロット番号、及び／又はアクセスコードに応じた前記情報信号を発生するように設計される。情報信号で広範囲の情報を提供可能な場合、例えば、無線データ送信開始前においても無線データ送信ができるといった、重要な作動パラメータを電子システムに伝えることができる。これにより、より早く、より安全に接続を構築することができる。
【００２８】
好ましい発展によれば、前記第二信号発生器は、周波数変調、及び／又は振幅変調、及び／又はアナログ変調方式、及び／又はデジタル変調方式によって前記情報信号を発生するように設計される。情報信号にデータを写し込むために、別の変調方法が提供される場合、前記情報信号は、別の態様での必要条件に対して柔軟に適応することができる。特に、この処理においては、使用環境に起因した帯域幅制限及び必要データ送信率の両方が考慮され得る。
【００２９】
好ましい発展によれば、復調器は、検出受信機、及び／又は弁別器、及び／又はその他の復調器として設計される。特に、復調器は、周波数変調、及び／又は振幅変調、及び／又はアナログ変調方式、及び／又はデジタル変調方式によって生成された情報信号を復調することができるように設計される。
【００３０】
好ましい発展によれば、混合装置は、非線形電子部品、例えばダイオード、特に、ショットキーダイオード、及び／又は一つの入力を有する電界効果トランジスタ、及び／又は二つの入力を有する電界効果トランジスタを備える。単に受動電子部品から成るだけの混合装置が提供された場合、これは、受信機のエネルギー消費量を低く維持することができる。
【００３１】
好ましい発展によれば、アンテナは、第一の周波数を有するキャリア信号及びシングルサイドバンド変調を用いて前記キャリア信号によって変調された第二の周波数を有する情報信号を備える無線信号を受信するために設けられる。さらに、又は代わりに、第一フィルターもまた前記混合装置の前に設けられ、このフィルターは、フィルター処理済みの無線信号が、少なくとも前記キャリア信号及び前記シングルサイドバンド変調情報信号を備えるように、前記受信情報信号をフィルター処理する。無線信号を受信するための専用のアンテナが設けられる場合、このアンテナは特に、第一の周波数及び第二の周波数で信号を受信するように調整されてもよい。このように、受信機の受信性能は向上され得る。
【００３２】
第一フィルターが設けられた場合、受信機で処理されなければならない信号は、それ自身と混合する前に、関連する周波数領域に限定することができる。無線信号に含まれる干渉は、このように早期の段階で取り除かれ、情報信号中の情報を確実に認識することができる。
【００３３】
好ましい発展によれば、第二フィルターは、前記混合装置と前記復調器の間に設けられ、該フィルターは、フィルター処理済みの無線信号が、少なくとも前記第二の周波数を有する前記情報信号を備えるような方法で、前記混合無線信号をフィルター処理するように設計される。フィルター処理された無線信号がそれ自身と混合された場合、第二の周波数を有する情報信号に加えて、更なる混合プロダクトが、混合装置の機能として生じる。ただ関連する周波数領域の信号が通過することを許容するだけの第二フィルターが設けられた場合、これらの望ましくない混合プロダクトは除去され得る。これは、情報信号に含まれる情報の明白な認識を可能にする。
【００３４】
好ましい発展によれば、第一増幅器は、前記混合装置と前記復調器の間に更に設けられ、該増幅器は、前記混合無線信号を増幅するように設計される。混合無線信号が増幅された場合、信号レベルの増幅に伴い、増幅されない場合に比べて復調器の感度を下げることができ、前記混合無線信号の復調が促進される。
【００３５】
好ましい発展によれば、第二増幅器は、前記復調器と前記アドレスデコーダーの間に設けられ、該増幅器は、前記復調無線信号が、前記アドレスデコーダーによって評価され得るような方法で、前記復調無線信号を増幅するように設計される。そのような増幅器の存在によって、確実に情報信号を評価することができる。第二増幅器は更に、例えばこれが異なる信号レベルに対して設計される場合、復調器とアドレスデコーダーの間で信号を調整することもできる。
【００３６】
好ましい発展によれば、低エネルギークロック発生器は、受信機を制御し、一定のクロック比でこれを作動させる。特に、受信機が停止している期間は、受信機が作動している期間よりも長い。この場合、より頻繁に電源が入れられても、前記受信機はウェイクアップ信号に、より早く対応することができる。従って、前記受信機に電源を入れるためのクロック比は、それぞれの利用に応じて最適化することができ、また調整することができる。
【００３７】
好ましい発展によれば、受信機の部品は、それらが入力によって信号を検出するまで、低エネルギー状態に留まることができる。それらが信号を検出して初めて、それぞれの部品が通常の作動に切り替わり、それぞれの信号を処理する。受信機によって必要とされるエネルギーは、このように更に削減される。
【００３８】
好ましい発展によれば、受信機の受信アンテナは、電子システムのデータ送信のためのアンテナとして使用されてもよい。第一フィルターは、電子システムのデータ送信のために、追加的に、または選択的に使用されてもよい。これにより、電子システムの複雑さ及びコストを低減することができる。
【００３９】
本発明は、以下において、実施形態を用いることによって、また、添付の図を参照して、より詳細に説明される。
【図面の簡単な説明】
【００４０】
図は、以下を示す。
【図１】本発明に係る送信機の一実施形態のブロック図。
【図２】本発明に係る受信機の一実施形態のブロック図。
【図３】本発明に係る航空機及び宇宙船の一実施形態のブロック図。
【図４】本発明に係る方法の一実施形態についてのフロー図、そして、
【図５】本発明に係る受信機のもう一つの実施形態のブロック図。
【００４１】
図において、特に指定の無い限り、同じ参照番号は、同一の構成要素、又は同一機能を有する同一の構成要素を指す。
【発明を実施するための形態】
【００４２】
図１は、本発明に係る送信機１の一実施形態のブロック図を示す。
【００４３】
送信機１は、固定周波数の発振器｛はっしんき｝２として設計された第一信号発生器２であって、キャリア信号ＴＳを放出する第一信号発生器２を備える。送信機１はまた、ＡＭ変調器３として設計された第二信号発生器３であって、情報信号ＩＳを放出する第二信号発生器３を備える。シングルサイドバンド変調器４は、シングルサイドバンド変調方式で、キャリア信号ＴＳによって情報信号ＩＳを変調し、変調情報信号ｍｏｄ（ＴＳ，ＩＳ）を発生する。最終的には、送信装置５が、キャリア信号ＴＳと変調情報信号ｍｏｄ（ＴＳ，ＩＳ）を、無線信号ＦＳとして放出する。
【００４４】
図１におけるＡＭ変調器３は、振幅変調によって少量のデータが写し込まれた情報信号ＩＳを生成する。このデータは、起動すべき電子システムのアドレスコードを含む。更なる実施形態においては、更に多くのデータが情報信号ＩＳに写し込まれてもよい。そのようなデータは、例えば、チャンネル番号、タイムスロット番号、アクセスコード、又はこれに類するものを含んでいてもよい。例えば、起動すべき電子システムと無線通信するためのパラメータを定義するデータが、情報信号ＩＳに写し込まれてもよい。
【００４５】
更なる実施形態において、前記第二信号発生器３は、ＦＭ変調器３として、又は情報信号ＩＳにデータを写し込むのに適したその他のどんな変調器３として設計されてもよい。
【００４６】
図２は、本発明に係る受信機１０の一実施形態のブロック図を示す。
【００４７】
受信機１０は、受信した無線信号ＦＳを、それ自身と混合することができる
ショットキーダイオード１１として設計された混合装置１１を備える。次に、混合無線信号ｇｅｍ（ＦＳ）は、ＡＭ復調器１２、例えば、検出受信機１２によって復調され、復調無線信号ｄｅｍｏｄ（ＦＳ）としてアドレスデコーダー１３へ送られる。アドレスデコーダー１３は、復調無線信号ｄｅｍｏｄ（ＦＳ）が所定のアドレスコードを表示する場合、ウェイクアップ信号ＷＳを放出する。
【００４８】
更なる実施形態において、復調器１３は、ＦＭ復調器１３として、例えば、弁別器１３として設計される。さらにもう一つの実施形態においては、前記復調器１３は、情報信号ＩＳに含まれる情報を取得するために、前記復調無線信号（ＦＳ）を復調するのに適した任意の復調器１３として設計される。
【００４９】
図３は、本発明に係る航空機及び宇宙船２０の一実施形態のブロック図を示す。
【００５０】
図３の航空機及び宇宙船２０は、送信機１及び電子システム２１を備える航空機２０として設計される。電子システム２１は、受信機１０が送信機１から適切な無線信号ＦＳを受信した場合に、電子システム２１を起動するように設計された受信機１０を更に備える。
【００５１】
更なる実施形態において、航空機２０は、１以上の電子システム２１を備えていてもよい。例えば、航空機２０は、それぞれの座席に電子システム２１を備えていてもよい。
【００５２】
更なる実施形態において、航空機及び宇宙船２０は、宇宙船２０として、例えば、ロケット２０として設計されてもよい。
【００５３】
陸地又は海洋輸送手段での利用が、航空機又は宇宙船での利用に代わって想定される。
【００５４】
図４は、本発明に係る方法の一実施形態についてのフロー図を示す。
【００５５】
本発明に係る方法において、本発明に係る送信機１は、第一工程Ｓ１に設けられる。本発明に係る受信機１０は、第二工程Ｓ２に設けられる。そして、キャリア信号ＴＳ及び変調情報信号ｍｏｄ（ＩＳ，ＴＳ）が、第三工程Ｓ３で放出される。放出キャリア信号ＴＳ及び変調情報信号ｍｏｄ（ＩＳ，ＴＳ）を備える、放出無線信号ＦＳは、第四工程Ｓ４で受信機１０によって受信される。受信された無線信号ＦＳは、続いて、第五工程でそれ自身と混合される。それ自身と混合された無線信号ｇｅｍ（ＦＳ）は、第六工程で復調される。第七工程で、復調無線信号ｄｅｍｏｄ（ＦＳ）は、所定のアドレスコードと比較され、復調無線信号ｄｅｍｏｄ（ＦＳ）が所定のアドレスコードを表示する場合、ウェイクアップ信号ＷＳが発せられる。
【００５６】
図５は、本発明に係る受信機１０のもう一つの実施形態のブロック図を示す。
【００５７】
図５における受信機１０は、アンテナ１４及びアンテナ１４の後に直列に接続された第一フィルター１５が、混合装置１１の前に設けられている点で、図１における受信機と相違する。この場合、アンテナ１４は、キャリア信号ＴＳ及びシングルサイドバンド変調情報信号ｍｏｄ（ＩＳ，ＴＳ）が配置される周波数域に調整される。図５における前記フィルター１５は、キャリア信号ＴＳ及びシングルサイドバンド変調情報信号ｍｏｄ（ＩＳ，ＴＳ）が配置される周波数域で、信号の通過を許容するように調整された、バンドパスフィルター１５として設計される。図５において、第一増幅器１７は、混合装置１１の後に設けられ、この増幅器は、それ自身と混合された無線信号ｇｅｍ（ＦＳ）を増幅し、これを第二フィルター１６へ送る。第二フィルター１６は、第二の周波数、即ち、元の情報信号ＩＳの周波数に調整された高周波数選択フィルター１６として設計される。このように、第二フィルター１６は、混合無線信号ｇｅｍ（ＦＳ）において、ノイズや関係のない信号を減らすことができる。最後に、第二増幅器１８は、復調器１２の後に設けられており、この増幅器は、復調無線信号ｄｅｍｏｄ（ＦＳ）を、アドレスデコーダー１３によって処理され得る方法で増幅する。
【００５８】
本発明は、ここでは、好ましい実施形態によって説明されたが、上記に限定されるものではなく、むしろ、複数の方法に変更されてもよい。
【００５９】
例えば、本発明は、航空機及び宇宙船以外の輸送手段において使用されてもよい。本発明は、例えば、船舶、自動車、及び鉄道車両で使用されてもよい。
【００６０】
参照符号リスト
１      トランスミッタ
２      信号発生器
３      信号発生器
４      シングルサイドバンド変調器
５      送信装置
１０    受信機
１１    混合装置
１２    復調器
１３    アドレスデコーダー
１４    アンテナ
１５    フィルター
１６    フィルター
１７    増幅器
１８    増幅器
２０    航空機及び宇宙船
２１    電子システム
ＴＳ    キャリア信号
ＩＳ    情報信号
ＦＳ    無線信号
ＷＳ    ウェイクアップ信号
ｍｏｄ（ＩＳ，ＴＳ）  変調情報信号
ｇｅｍ（ＦＳ）        混合無線信号
ｄｅｍｏｄ（ＦＳ）    復調無線信号
Ｓ１−Ｓ７            方法における工程 
【図１】
2014534675.tif 000003
【図２】
2014534675.tif 000004
【図３】
2014534675.tif 000005
【図４】
2014534675.tif 000006
【図５】
2014534675.tif 000007
【国際調査報告】
2014534675.tif 000008
2014534675.tif 000009
2014534675.tif 000010